(57)【要約】  多数の出力端子（Ｐ）を有する第１および第２のドライバ（１，２）と、前記第１のドライバ（１）のｎ個（ｎは１以上の整数）の出力端子を、２ｎ個の有機ＥＬ素子の駆動ラインを２分割した一方と他方に交互に接続し、かつ第２のドライバ（２）のｎ個の出力端子を、残るｎ個の他方と一方に交互に接続する多数の切換回路（ＵＳ，ＤＳ）と、ｍフレーム（ｍは１以上の整数）ごとあるいはｍ水平ラインごとに制御信号を発生して前記多数の切換回路を同時に切り換える制御をする制御回路（５）とを有することで、輝度ばらつきや輝度むらを低減することができる有機ＥＬ表示装置（１０）を提供する。【特許請求の範囲】
【請求項１】
表示データに応じた駆動電流を有機ＥＬパネルの端子ピンに出力端子を介して出力して有機ＥＬパネルを電流駆動する第１および第２のドライバを有する有機ＥＬ表示装置において、
前記第１および第２のドライバは多数の前記出力端子をそれぞれ有し、
前記有機ＥＬパネルの内部に設けられ、制御信号に応じて前記第１のドライバのｎ個（ｎは１か、それ以上の整数）の前記出力端子のそれぞれを隣接する２ｎ個の有機ＥＬ素子の陽極側の駆動ラインあるいはデータ線のうちの２ｎ個を２分割した２つのｎ個の一方と他方に交互にそれぞれ接続しかつ前記第２のドライバのｎ個の前記出力端子のぞれぞれを残るｎ個の前記他方と一方に交互にそれぞれ接続する多数の接続切換回路と、
ｍフレーム（ただしｍは１か、それ以上の整数）ごとあるいは前記ｍ水平ラインごとに前記制御信号を発生して前記多数の接続切換回路を同時に切換える制御をする制御回路とを有する有機ＥＬ表示装置。
【請求項２】
各前記接続切換回路は、隣接する２ｎ個の前記端子ピンと隣接する２ｎ個の前記駆動ラインあるいはデータ線との間に２ｎ個単位でそれぞれ設けられ、前記第１および第２のドライバは、それぞれＩＣであって、各前記出力端子がｎ個単位で各前記端子ピンに交互に接続されている請求項１記載の有機ＥＬ表示装置。
【請求項３】
前記第１および第２のドライバは、１水平ラインのｎ画素を単位として交互に振分けられた前記表示データをそれぞに記憶し、この記憶した表示データに応じて前記駆動電流を各前記出力端子に発生する請求項２記載の有機ＥＬ表示装置。
【請求項４】
前記第１および第２のドライバは、前記陽極側の駆動ラインを駆動するものであり、前記前記ｎは１である請求項３記載の有機ＥＬ表示装置。
【請求項５】
前記第１および第２のドライバは、前記陽極側の駆動ラインを駆動するものであり、前記ｍとｎはそれぞれ１である請求項３記載の有機ＥＬ表示装置。
【請求項６】
前記有機ＥＬパネルは、矩形であって、前記端子ピンを前記矩形の対向する辺にそれぞれ有し、前記隣接する２個の端子ピンは、前記対向するそれぞれの辺において対応する前記端子ピンが割当てられ、前記第１および第２のドライバは、前記対向する辺に対応して配置され、前記多数の接続切換回路は前記対向する辺に対応して前記有機ＥＬパネルの内部に設けられている請求項５記載の有機ＥＬ表示装置。
【請求項７】
さらに、１フレーム分の前記表示データを記憶する画像メモリを有し、前記制御回路は、前記第１および第２のドライバをそれぞれ選択する選択信号を交互に発生して交互に前記第１および第２のドライバを選択して前記ｎ画素単位で前記表示データをそれぞれに振分け、前記第１および第２のドライバは、前記選択信号に応じて前記ｎ画素単位で前記表示データを交互にそれぞれが取込む請求項６記載の有機ＥＬ表示装置。
【請求項８】
前記隣接する２ｎ個の前記端子ピンと前記隣接する２ｎ個の前記駆動ラインは、それぞれＲ，Ｇ，Ｂごとに隣接するものであり、前記多数の接続切換回路は、Ｒ，Ｇ，Ｂそれぞれに対応してそれぞれ設けられている請求項３記載の有機ＥＬ表示装置。
【請求項９】
前記第１および第２のドライバは、有機ＥＬパネルの一辺に対応して前後に配置され、前記有機ＥＬパネルはパッシブマトリックス型のものである請求項３記載の有機ＥＬ表示装置。
【請求項１０】
前記第１および第２のドライバは、有機ＥＬパネルの一辺に対応して重ねられて設けられ、前記有機ＥＬパネルはパッシブマトリックス型のものである請求項３記載の有機ＥＬ表示装置。
【請求項１１】
表示データに応じた駆動電流を有機ＥＬパネルの端子ピンに出力端子を介して出力して有機ＥＬパネルを電流駆動するｋ個（ｋは３か、それ以上の整数）のドライバを有する有機ＥＬ表示装置において、
前記有機ＥＬパネルの内部に設けられ、制御信号に応じて前記ｋ個のうち１つのドライバのｎ個（ｎは１か、それ以上の整数）の前記出力端子のそれぞれを隣接するｋ・ｎ個の有機ＥＬ素子の陽極側の駆動ラインあるいはデータ線のうちのｋ・ｎ個をｋ分割したｋ個のｎ個のうち１つにそれぞれ接続しかつ前記ｋ個のうち他の１つのドライバのｎ個の前記出力端子を残りｎ個のうち１つにそれぞれ接続し、前記ｋ個のうちさらに残りの１つのドライバのｎ個の前記出力端子を残りｎ個のうち１つにそれぞれ接続する多数の接続切換回路と、
ｍフレーム（ただしｍは１か、それ以上の整数）ごとあるいは前記ｍ水平ラインごとに前記制御信号を発生して前記多数の接続切換回路を同時に切換える制御をする制御回路とを有する有機ＥＬ表示装置。
【請求項１２】
各前記接続切換回路は、隣接するｋ・ｎ個の前記端子ピンと隣接するｋ・ｎ個の前記駆動ラインあるいはデータ線との間にｋ・ｎ個単位でそれぞれ設けられ、前記ｋのドライバは、それぞれＩＣであって、各前記出力端子がｎ個単位で各前記端子ピンに交互に接続されている請求項１１記載の有機ＥＬ表示装置。
【請求項１３】
前記ｋ個のドライバは、１水平ラインのｎ画素を単位として交互に振分けられた前記表示データをそれぞに記憶し、この記憶した表示データに応じて前記駆動電流を各前記出力端子に発生する請求項１２記載の有機ＥＬ表示装置。
【発明の詳細な説明】
【技術分野】
【０００１】
この発明は、有機ＥＬ表示装置に関し、詳しくは、複数の電流駆動ＩＣ（電流ドライバ）によりカラム側端子ピン（カラムピン）を介して電流駆動される有機ＥＬパネルにおいて、電流駆動ＩＣに集積される電流駆動回路の占有面積の増加を抑えて表示装置の製品毎の輝度ばらつきや表示画面の輝度むらを低減することができ、高解像度の有機ＥＬパネルに適するような有機ＥＬ表示装置に関する。
【背景技術】
【０００２】
携帯電話機，ＰＨＳ、ＤＶＤプレーヤ、ＰＤＡ（携帯端末装置）等に搭載される有機ＥＬ表示装置の有機ＥＬ表示パネルでは、カラムライン（有機ＥＬ素子の陽極側駆動ライン）に接続されるカラム側の端子ピン数が３９６個（１３２×３）、ローライン（有機ＥＬ素子の陰極側駆動ライン）に接続されるロー側の端子ピン数が１６２個持つものが提案され、カラム側、ロー側の端子ピンはこれ以上に増加する傾向にある。
このような有機ＥＬ表示パネルの駆動回路として、カラムピン対応にＤ／Ａ変換回路（以下Ｄ／Ａ）を設けたこの出願人の特開２００３−２３４６５５号の出願がある（特許文献１）。これは、カラムピン対応に設けられたＤ／Ａが表示データと基準駆動電流とを受けて、基準駆動電流に従って表示データをＤ／Ａ変換してカラムピン対応にカラム方向の駆動電流あるいはこの駆動電流の元となる電流を生成する。
【特許文献１】特開２００３−２３４６５５号公報
【０００３】
消費電力を低減するために、前記のＤ／Ａの電源電圧は、例えば、ＤＣ３Ｖ程度と低く抑えられ、最終段の出力段電流源の電源電圧だけを、例えば、ＤＣ１５Ｖ〜２０Ｖとし、各カラムピン（あるいはドライバＩＣの各出力端子）対応に設けられた各Ｄ／Ａが、各カラムピン（あるいはドライバＩＣの各出力端子）対応に分配された基準駆動電流を受けて有機ＥＬ素子（以下ＯＥＬ素子）の駆動電流の元となる電流を生成して出力段電流源を駆動する。これにより電流駆動回路全体の消費電力を低く抑えている。
しかし、前記のＤ／Ａは、ＩＣ化した場合にその出力端子ピン対応に設ける必要があるので、その占有面積を抑えるために、現在のところ、４ビット〜６ビット程度のものとなっている。
各Ｄ／Ａに加えられる前記の基準駆動電流は、基準電流分配回路により分配された基準電流であり、基準電流分配回路は、入力側トランジスタ１に対して出力側トランジスタｋ（ｋは電流ドライバの出力端子が接続される端子ピン数に対応）のカレントミラー回路で構成される。そして、基準電流発生回路からの基準電流をカレントミラー回路の入力側トランジスタで受けて、各端子ピン対応に設けられた出力側トランジスタで各端子ピン対応に設けられたＤ／Ａに電流分配する。
【発明の開示】
【発明が解決しようとする課題】
【０００４】
有機ＥＬパネルのドライバＩＣは、Ｒ，Ｇ，Ｂのカラーでもそれぞれに３０ピン以上の各出力端子が設けられ、これら出力端子に対応して設けられたＤ／Ａに対して基準電流分配回路で出力端子数分の多数の基準電流を生成して分配するために、基準電流分配回路の出力側トランジスタの特性の相違とその配置の関係とから、分配する各基準電流にばらつきが生じ易い。それが表示装置の製品ごとの輝度ばらつきや表示画面の輝度むらとなって現れてくる。
有機ＥＬパネルの駆動回路が４ビット〜６ビット程度のＤ／Ａを使用して出力段電流源を駆動し、各カラムピン（各出力端子）を介してＯＥＬ素子をそれぞれに駆動すると、Ｄ／Ａの電流変換精度が悪いために、カラムピン対応の駆動電流にばらつきを生じ易い。このばらつきは、表示装置の製品毎の輝度ばらつきや表示画面の輝度むらとなった現れてくる。
そのため、ドライバＩＣは、基準電流を調整することに加えて、Ｄ／Ａ側に基準電流を調整する調整回路が別途必要になり、それが出力端子対応となることから占有面積が増える問題がある。
一方、Ｄ／Ａ変換精度を向上するために、６ビットか、それ以上のＤ／Ａにすると、各カラムピン対応にＤ／Ａを設けなければならない関係上、ドライバＩＣにおいて電流駆動回路の占有面積が大きくなる。その分、出力端子数が多く採れなくなる問題が生じる。
この発明の目的は、このような従来技術の問題点を解決するものであって、電流駆動ＩＣにおける電流駆動回路の占有面積の増加を抑えて表示装置の輝度ばらつきや輝度むらを低減することができる有機ＥＬ表示装置を提供することにある。
この発明の他の目的は、表示装置の輝度ばらつきや輝度むらを低減することができ、高解像度の有機ＥＬパネルに適する有機ＥＬ表示装置を提供することにある。
【課題を解決するための手段】
【０００５】
このような目的を達成するための第１の発明の有機ＥＬ表示装置の構成は、表示データに応じた駆動電流を有機ＥＬパネルの端子ピンに出力端子を介して出力して有機ＥＬパネルを電流駆動する第１および第２のドライバを有する有機ＥＬ表示装置において、
前記第１および第２のドライバは多数の前記出力端子をそれぞれ有し、前記有機ＥＬパネルの内部に設けられ、制御信号に応じて前記第１のドライバのｎ個（ｎは１か、それ以上の整数）の前記出力端子のそれぞれを隣接する２ｎ個の有機ＥＬ素子の陽極側の駆動ラインあるいはデータ線のうちの２ｎ個を２分割した２つのｎ個の一方と他方に交互にそれぞれ接続しかつ前記第２のドライバのｎ個の前記出力端子のぞれぞれを残るｎ個の前記他方と一方に交互にそれぞれ接続する多数の接続切換回路と、ｍフレーム（ただしｍは１か、それ以上の整数）ごとあるいは前記ｍ水平ラインごとに前記制御信号を発生して前記多数の接続切換回路を同時に切換える制御をする制御回路とを有するものである。
第２の発明は、有機ＥＬパネルを電流駆動するｋ個（ｋは３か、それ以上の整数）のドライバを有する有機ＥＬ表示装置において、前記多数の接続切換回路が制御信号に応じて前記ｋ個のうち１つのドライバのｎ個（ｎは１か、それ以上の整数）の前記出力端子のそれぞれを隣接するｋ・ｎ個の有機ＥＬ素子の陽極側の駆動ラインあるいはデータ線のうちのｋ・ｎ個をｋ分割したｋ個のｎ個のうち１つにそれぞれ接続しかつ前記ｋ個のうち他の１つのドライバのｎ個の前記出力端子を残りｎ個のうち１つにそれぞれ接続し、前記ｋ個のうちさらに残りの１つのドライバのｎ個の前記出力端子を残りｎ個のうち１つにそれぞれ接続するものである。
【発明の効果】
【０００６】
このように、この第１の発明にあっては、有機ＥＬパネルの内部に接続切換回路を設け、ｍフレームごとにあるいはｍ水平ラインごとに第１および第２のドライバのｎ個の出力端子のそれぞれが２ｎ個の各カラムライン（有機ＥＬ素子の陽極側の駆動ライン）あるいは各データ線のうちのｎ個のぞれぞれに交互に接続切換回路によりそれぞれ切換え接続される。
これにより、隣接するｎ個の各カラムライン（あるいは各データ線，以下カラムラインで代表する）は、切換に応じてそれぞれに２つのドライバから駆動電流を時分割で受けることになる。あるカラムラインに接続されたＯＥＬ素子がｍフレームごとにあるいはｍ水平ラインごとにそれぞれのドライバからの駆動電流で駆動されるので、ＯＥＬ素子の発光輝度は、ｎ個の各カラムラインにおいて時間的に積分されて平均化される。
なお、画像の表示に当たっては、第１および第２のドライバは、それぞれｍフレーム分あるいはｍ水平ライン分の表示データを１水平ラインのｎ画素を単位として交互に振分けて記憶することになる。接続切換回路の切換えは、記憶された表示データに対応して行い、記憶された表示データに応じた第１および第２の各ドライバの各出力端子に駆動電流が発生する。
第２の発明は、第１の発明におけるドライバの数を３個以上とし、３×ｎライン以上の同時切換を行うものであり、前記と同様な作用効果が得られる。
その結果、端子ピン対応に生成される出力端子対応の各基準電流にばらつきがあってもあるいは表示データを基準電流に従って変換する出力端子対応の各Ｄ／Ａの電流変換精度が多少悪くて、結果として端子ピン間の駆動電流にばらつきが生じても表示装置の輝度ばらつきや表示画面の輝度むらを低減することができる。
また、第１および第２のドライバは、それぞれｎ個単位で端子ピンに出力端子が交互に接続されるので、各ドライバの端子ピンピッチに対してカラムラインのピッチは、倍にでき、高解像度の有機ＥＬ表示装置が容易に実現できる。
【発明を実施するための最良の形態】
【０００７】
図１は、この発明の有機ＥＬ表示装置を適用した一実施例のブロック図、図２は、そのカラムラインの切換状態の説明図、図３は、ドライバ切換におけるタイミング信号の説明図、図４は、この発明の有機ＥＬ表示装置を適用した他の一実施例の説明図、そして、図５は、そのカラムライン接続切換回路の説明図である。
図１において、１０は、有機ＥＬ表示装置であって、ＯＥＬ素子の陽極に駆動電流を送出する電流ドライバとしてカラムドライバＩＣ（以下カラムドライバ）１，２と、有機ＥＬパネル３、ロードライバＩＣ（以下ロードライバ）４、タイミングコントローラ５、画面メモリ（Ｖ−ＲＡＭ）６、そしてＭＰＵ７とからなる。
画面メモリ６は、垂直同期信号ＶSYCに相当するフレーム同期信号ＦSYCに応じて、垂直帰線期間に相当する期間にＭＰＵ７から１フレーム分の表示データが転送され記憶される。タイミングコントローラ５は、フレーム同期信号ＦSYCを画像メモリ６とＭＰＵ７とに送出する。なお、ＦSYCは、１／３０秒あるいは１／６０秒ごとに発生するパルスである。【０００８】
タイミングコントローラ５は、カラムドライバ１，２、ロードライバ４、そして画像メモリ６とに所定のタイミング信号を発生して画像メモリ６から表示データをカラムドライバ１，２に送出する。カラムドライバ１，２とロードライバ４は、タイミングコントローラ５のタイミング信号に応じて有機ＥＬパネル３に対してロー側の走査をするとともにカラム側にそのときどきの１水平ライン分の表示データＤＡＴＡに対応する電流駆動信号を送出して有機ＥＬパネル３を電流駆動する。
ここでのカラムドライバ１，２は、１水平ライン分の画素数を１つ置きに分担してそれぞれに駆動する。これにより有機ＥＬパネル３には表示データＤＡＴＡに応じた画像が表示される。
カラムドライバ１，２は、それぞれ双方向シフトレジスタ１１、表示データラッチ回路１２、有機ＥＬパネル３の端子ピンに対応して設けられた可変電流源１３ａ〜１３ｎとからなる。各可変電流源１３（可変電流源１３ａ〜１３ｎを代表するものとして）は、表示データラッチ回路１２から自己が割当てられた表示データＤＡＴＡを受けて、表示データＤＡＴＡの値に応じた駆動電流を出力端子Ｐ1〜Ｐnのうち自己が割当てられた出力端子にそれぞれ送出する。
表示データラッチ回路１２は、画面メモリ（Ｖ−ＲＡＭ）６からカラムドライバ１，２に送出された水平１ラインごとの表示データＤＡＴＡをそれぞれ画素対応で分担して記憶する。なお、この表示データＤＡＴＡの分担については後述する。
各可変電流源１３は、通常、Ｄ／Ａ変換回路（Ｄ／Ａ）とカレントミラーの電流出力回路とからなり、Ｄ／Ａが表示データラッチ回路１２から表示データＤＡＴＡと基準電流分配回路（図示せず）により端子ピン対応に分配された基準電流とを受けて表示データＤＡＴＡをＤ／Ａ変換し、変換アナログ電流で電流出力回路が駆動されることで電流出力回路が表示データＤＡＴＡの値に応じた駆動電流を発生する。【０００９】
有機ＥＬパネル３は、矩形であって、その内部には、ＯＥＬ素子３ａがマトリックス状に配置されている。各ＯＥＬ素子３ａは、カラムラインＸ1〜Ｘ２nとローラインＹ1〜Ｙmとの交点においてそれぞれ陽極側と陰極側が接続されている。
そして、端子ピンが矩形の上下の対向する辺にそれぞれ設けられている。上側の各端子ピンは、カラムピンＵＸ1，…ＵＸi，…ＵＸnであり、下側の各端子ピンは、カラムピンＤＸ1，…ＤＸi，…ＤＸnである。
カラムドライバ１の各出力端子Ｐ1，…Ｐi，…Ｐnは、上側の各カラムピンＵＸ1，…ＵＸi，…ＵＸnにそれぞれ対応して接続され、カラムドライバ２の各出力端子Ｐn，…Ｐi，…Ｐnは、下側の各カラムピンＤＸ1，…ＤＸi，…ＤＸnにそれぞれ対応して接続されている。
なお、カラムドライバ２は、カラムドライバ１と同一構成のものであるので、これが下側に配置されることで、出力端子Ｐ1，…Ｐi，…Ｐnの配列方向が図示するように逆方向になる。
各カラムピンＵＸ1，…ＵＸi，…ＵＸnは、各接続切換回路ＵＳi（ＵＳ1，…ＵＳi，…ＵＳn，以下切換回路ＵＳiという）を介して各カラムラインＸ1，…Ｘi，…Ｘ2n（各辺のカラムピン数の倍の数）のうちそれぞれ隣接する２つのカラムラインＸi，Ｘi+1（ただしｉ＝奇数の整数）に有機ＥＬパネル３の上側においてそれぞれ接続されている。各カラムピンＤＸ1，…ＤＸi，…ＤＸnは、各接続切換回路ＤＳi（ＤＳ1，…ＤＳi，…ＤＳn，以下切換回路ＤＳiという）を介してそれぞれ隣接する２つのカラムラインＸi，Ｘi+1に有機ＥＬパネル３の下側においてそれぞれ接続されている。ただし、図示するように、各切換回路ＵＳiと各切換回路ＤＳiとが接続するカラムラインは相互に重ならないように一方と他方との交互接続になっている。
垂直帰線期間に相当する１フレーム分のロー側走査終了後の期間においてタイミングコントローラ５の切換信号ＳＥＬは、“Ｌ”（＝ＬＯＷレベル）から“Ｈ”（＝ＨＩＧＨレベル）あるいは“Ｈ”から“Ｌ”に切換わる。そして、この切換信号ＳＥＬの“Ｈ”、“Ｌ”を受けて、各切換回路ＵＳiは、その接続がカラムラインＸi，Ｘi+1の２つカラムラインのうちの一方から他方へと切換わる。各切換回路ＤＳiは、切換信号ＳＥＬをインバータ８を介して受けて逆に他方から一方へと切換わる。なお、切換回路ＤＳiが切換回路ＵＳiに対して切換端子が左右反転して配置されている場合、例えば、図５に示すようなトランスミッションゲート（ＣＭＯＳのアナログスイッチ）のように右側入力と左側入力では同じ制御信号に対して逆の端子選択動作をするものにあっては、上側の切換回路と下側の切換回路とは切換が逆方向になるのでインバータ８は不要である。
さて、切換信号ＳＥＬが“Ｌ”のときには、図２（ａ）に示すように、各切換回路ＵＳiが奇数番目の各カラムラインを選択し、各切換回路ＤＳiは、偶数番目の各カラムラインを選択する。切換信号ＳＥＬの“Ｈ”のときには、図２（ｂ）に示すように、逆に各切換回路ＵＳiが偶数番目のカラムラインを選択する。これに対して、各切換回路ＤＳiは、奇数番目のカラムラインを選択する。そして、１フレームごとに切換信号ＳＥＬの“Ｈ”、“Ｌ”の変化に応じて各カラムドライバ１，２の各出力端子Ｐ1〜Ｐnに対して前記の奇数番目、偶数番目の各カラムラインの接続切換が各切換回路ＵＳiと各切換回路ＤＳiとにより１フレームごとに相補的に一方のカラムラインと他方のカラムラインに対して残る他方のカラムラインと残る一方のカラムラインというように相補的に交互に行われる。
なお、説明の都合上、図２では、出力端子数を４個（Ｐ１〜Ｐ4）とし、カラムラインの数を８（Ｘ1〜Ｘ8）としてある。【００１０】
カラムドライバ１は、タイミングコントローラ５の切換信号ＳＥＬに応じて、これが“Ｌ”のときに、言い換えれば各切換回路ＵＳiが奇数番目の各カラムラインを選択しているときには、奇数番目の各画素についての表示データＤＡＴＡを画面メモリ６から受けて記憶している。これによりカラムドライバ１は、奇数番目の各カラムラインに対してそのラインに対応する奇数番目の画素の表示データに応じてリセット期間ＲＴの次に来る表示期間Ｄ（図３（ｅ）参照）に駆動電流を発生してそれぞれに奇数番目の各カラムラインを駆動する。
切換回路ＤＳiは、このとき偶数番目の各カラムラインを選択するので、カラムドライバ２は、タイミングコントローラ５の切換信号ＳＥＬ（“Ｌ”）に応じて、偶数番目の各画素についての表示データＤＡＴＡを画面メモリ６から受けて記憶していて、偶数番目の各カラムラインに対してそのラインに対応する偶数番目の画素の表示データに応じてリセット期間ＲＴの次に来る表示期間Ｄに各可変電流源１３が駆動電流を発生してそれぞれに偶数番目の各カラムラインを駆動する。
これに対して、タイミングコントローラ５の切換信号ＳＥＬ（“Ｈ”）のときには、前記とは逆になる。すなわち、各切換回路ＵＳiは偶数番目の各カラムラインを選択し、カラムドライバ１は前記とは逆に偶数番目の各画素についての表示データＤＡＴＡを画面メモリ６から受けて記憶している。このときには、各切換回路ＤＳiも前記とは逆に奇数番目の各カラムラインを選択し、カラムドライバ２は前記とは逆に奇数番目の各画素についての表示データＤＡＴＡを画面メモリ６から受けて記憶している。そこで、カラムドライバ１は、偶数番目の各カラムラインを偶数番目の画素に対応する表示データに応じて各可変電流源１３がそれぞれに偶数番目の各カラムラインを駆動し、カラムドライバ２は、奇数番目の各カラムラインを奇数番目の画素に対応する表示データに応じて各可変電流源１３がそれぞれに偶数番目の各カラムラインを駆動する。【００１１】
このような切換信号ＳＥＬによる１フレーム対応の切換処理について図３に従って説明すう。
図３は、ドライバ切換処理のタイミング信号の説明図である。
図３（ａ）は、各制御信号のタイミングの基本となる同期クロックＣＬＫであり、図３（ｂ）は、ピクセルカウンタのカウントスタートパルスＣＳＴＰである。そして、ピクセルカウンタのカウント値が図３（ｃ）に示されている。図３（ｄ）は、表示開始パルスＤＳＴＰであり、図３（ｅ）は、リセットパルスＲＳであり、帰線期間に相当するリセット期間ＲＴと水平走査期間相当する表示期間Ｄとを切り分けるタイミング信号である。
図３（ｆ）は、切換信号ＳＥＬが“Ｌ”の場合にロー側走査の各リセット期間ＲＴ（図３（ｅ）参照）に、各カラムドライバ１，２に記憶される水平１ラインごとの表示データＤ1，Ｄ2，Ｄ3，Ｄ4，…をＤＡＴＡとして示している。
このＤＡＴＡは、画面メモリ（Ｖ−ＲＡＭ）６からリセット期間ＲＴに出力される１水平ライン分の１画素対応の各データＤ1，Ｄ2，…Ｄｎ（Ｄｎは図示せず）からなる。各データＤ1〜Ｄnは、図３（ａ）のクロックＣＬＫの立上がりタイミングで双方向シフトレジスタ１１に入力され、シフトされていく。カラムドライバ１の双方向シフトレジスタ１１には、最終段から初段に向かって逆方向に各データＤ1〜Ｄnがシフトされて入力される。一方、カラムドライバ２の双方向シフトレジスタ１１には、初段から最終段に向かって順方向に各データＤ1〜Ｄnがシフトされて入力される。カラムドライバ２は、カラムドライバ１とは出力端子の配列方向が逆になっているからである。【００１２】
ＣＳ1は、カラムドライバ１のチップセレクト信号であり、ＣＳ2は、カラムドライバ２のチップセレクト信号であり、チップセレクト信号ＣＳ1を反転した信号である。それぞれ“Ｈ”のタイミングでカラムドライバ１，２はイネーブルにされて各データＤ1〜Ｄnの１つを双方向シフトレジスタ１１に取込む。
その結果、水平１ライン分のデータＤ1〜Ｄnが交互にカラムドライバ１とカラムドライバ２とに取込まれる。
あるフレームのタイミングで切換信号ＳＥＬが“Ｌ”の場合には、奇数番目の各画素の表示データがカラムドライバ１の双方向シフトレジスタ１１に取込まれ、各切換回路ＵＳiが奇数番目の各カラムラインを選択して接続する。偶数番目の各画素の表示データがカラムドライバ２の双方向シフトレジスタ１１に逆方向に取込まれ、各切換回路ＤＳiが偶数番目の各カラムラインを選択して接続する。
その次のフレームのときには、切換信号ＳＥＬが“Ｈ”になる。この場合には、図３（ｇ）に示すように、チップセレクト信号（選択信号）ＣＳ1とチップセレクト信号（選択信号）ＣＳ2の位相が逆になり、偶数番目の各画素の表示データがカラムドライバ１の双方向シフトレジスタ１１に取込まれ、奇数番目の各画素の表示データがカラムドライバ２の双方向シフトレジスタ１１に逆方向に取込まれる。したがって、記憶される画素対応の表示データについての画素位置の奇数，偶数が先の場合と逆になる。このとき各切換回路ＵＳiと各切換回路ＤＳiは前記とは逆の接続関係になる。
なお、双方向シフトレジスタ１１に取込まれた表示データＤＡＴＡは、最後の画素の表示データＤnが取込まれた後に表示データラッチ回路１２にセットされて、各出力端子Ｐ1，…Ｐi，…Ｐnに対応して各可変電流源１３に分配される。【００１３】
その結果、１フレームごとに交互に“Ｌ”、“Ｈ”を繰り返す切換信号ＳＥＬによりカラムドライバ１の駆動電流が各出力端子Ｐ1，…Ｐi，…Ｐnから有機ＥＬパネル３の各カラムピンＵＸ1，…ＵＸi，…ＵＸnを介して１フレームごとに奇数、偶数、奇数、偶数…の順で各カラムラインＸ（Ｘ1，…Ｘi，…Ｘ2nの１つとして）が選択されてそれぞれに出力される。これと同時に、カラムドライバ２の駆動電流が各出力端子Ｐ1，…Ｐi，…Ｐnから有機ＥＬパネル３の各カラムピンＤＸ1，…ＤＸi，…ＤＸnを介して逆に１フレームごとに偶数、奇数、偶数、奇数…の順で各カラムラインが選択されてそれぞれに出力される。
このように、１フレームごとに各カラムラインは、それぞれに異なるカラムドライバ１，２により交互に時分割で駆動される。これにより、各カラムラインに接続された水平１ライン分の各ＯＥＬ素子３ａ（図１参照）は、カラムドライバ１，２からの駆動電流により発生するＯＥＬ素子３ａの発光輝度が時間的に積分されて平均された輝度となる。
その結果、カラムドライバ１，２により、平均的な輝度で各ＯＥＬ素子が発光することになる。これにより表示画面の輝度むらが防止される。
これにより、端子ピンに対応する各基準電流にばらつきがあってもあるいは各Ｄ／Ａの電流変換精度が多少悪く、結果として端子ピン相互間の駆動電流にばらつきが生じてもＯＥＬ素子の輝度ばらつきや輝度むらを低減することできる。
しかも、この実施例では、カラムドライバ１とカラムドライバ２とを上下に配置しているので、カラムドライバ１とカラムドライバ２の出力端子のピッチに対して、有機ＥＬパネル３のカラムラインは、１／２ピッチとなる。そのためこのカラムドライバ１とカラムドライバ２による電流駆動回路は、そのピンピッチに対して２倍の高解像度の有機ＥＬパネル３を駆動することが可能になる。【００１４】
図４は、この発明の有機ＥＬ表示装置を適用した他の一実施例の説明図である。
図４は、カラムドライバ１と２の間に絶縁膜９を設けて、カラムドライバ１と２とを前後に配置する。そして、カラムドライバ２の各出力端子Ｐ1，…Ｐi，…Ｐnと有機ＥＬパネル３の各端子ピンとの間をカラムドライバ１の上層に設けた絶縁膜９上に各出力端子対応の配線ラインからなる配線ライン群９ａにより接続する。これにより、カラムドライバ１とカラムドライバ２のそれぞれの出力端子Ｐ1，…Ｐi，…Ｐnを交互に有機ＥＬパネル３の各端子ピンに接続したものである。
なお、配線ライン群９ａは、カラムドライバ１の下側に配線されていてもよいが、接続関係を明確に説明するためにここではカラムドライバ１の上側にしてある。
この場合の切換信号ＳＥＬによるカラムラインの接続切換えは、有機ＥＬパネル３の下側に配置された切換回路ＤＳiがなくなり、上側の切換回路ＵＳiだけとなる。この各切換回路ＵＳiは、図５の切換回路を使用する。
図５は、図４における切換回路ＵＳiの具体例であって、１つの切換回路ＵＳi（ただしｉ＝奇数の整数とし、偶数はないものとする。）は、４個のアナログスイッチ（トランスミッションゲート）１４ａ〜１４ｄからなる。その入力端子Ａがカラムドライバ１の出力端子Ｐiに接続され、その入力端子Ｂがカラムドライバ２の出力端子Ｐi+1に接続される。そして、出力端子ＣがカラムラインＸiに接続され、出力端子ＤがカラムラインＸi+1に接続される。【００１５】
アナログスイッチ１４ａは、入力端子Ａと出力端子Ｃとの間に接続され、アナログスイッチ１４ｂは、入力端子Ｂと出力端子Ｃとの間に接続されている。また、アナログスイッチ１４ｃは、入力端子Ａと出力端子Ｄとの間に接続され、アナログスイッチ１４ｄは、入力端子Ｂと出力端子Ｄとの間に接続されている。
各アナログスイッチ１４ａ，１４ｄは、切換信号ＳＥＬが“Ｌ”のときにＯＮとなり、切換信号ＳＥＬが“Ｈ”のときにＯＦＦする。逆に、各アナログスイッチ１４ｂ，１４ｃは、切換信号ＳＥＬが“Ｌ”のときにＯＦＦとなり、切換信号ＳＥＬが“Ｈ”のときにＯＮする。
ここで、ｉを奇数とすれば、切換信号ＳＥＬが“Ｌ”のときには、切換回路ＵＳiは、カラムドライバ１の各出力端子Ｐ1，…Ｐi，…Ｐnを奇数番目の各カラムラインＸに接続し、カラムドライバ２の各出力端子Ｐ1，…Ｐi，…Ｐnを偶数番目の各カラムラインＸに接続する。切換信号ＳＥＬが“Ｈ”のときには、切換回路ＵＳiは、逆にカラムドライバ２の各出力端子Ｐ1，…Ｐi，…Ｐnを奇数番目の各カラムラインＸに接続し、カラムドライバ１の各出力端子Ｐ1，…Ｐi，…Ｐnを偶数番目の各カラムラインＸに接続する。
これにより、カラムドライバ１，２（その出力端子Ｐ1，…Ｐi，…Ｐn）を、有機ＥＬパネル３の上下の一方の辺のみに対応させることができる。その結果、２枚の有機ＥＬパネル３を上下に突き合わせて配置して２倍の面積の有機ＥＬパネルを駆動するも可能になる。
なお、図３ではカラムドライバ１とカラムドライバ２とが並置されているが、これらは重ねられてもよい。さらに、カラムドライバ１とカラムドライバ２とが有機ＥＬパネルの１辺に沿って複数個配列されていてもよい。【００１６】
ところで、この実施例では、Ｒ，Ｇ，Ｂのカラー有機ＥＬパネルについて説明していないが、Ｒ，Ｇ，Ｂのそれぞれに対して切換えを行うことができる。この場合には、有機ＥＬの端子ピンにおいてＲに隣接する端子ピンは、Ｇ，Ｂの端子ピンを挟んでその次のＲの端子ピンになる。Ｇ，Ｂの端子ピンについても同様である。
したがって、この発明における隣接する端子ピンあるいは隣接するカラムラインは、Ｒ，Ｇ，Ｂのカラーの場合には、同じ表示色について隣接するものである。したがって、この明細書および特許請求の範囲における隣接するとは、カラー有機ＥＬパネルの場合には、同じ表示色において隣接するとの意味になる。
その具体的な実施例としは、図４の実施例における２個のカラムドライバを１個増加させて、カラムドライバをＲ，Ｇ，Ｂに対応して１個づつの３個のカラムドライバを設ける。このときには、３個のカラムドライバの出力を順番に順次接続することなる。そして、Ｒ，Ｇ，Ｂの隣接する３本の出力端子を、次に隣接するＲ，Ｇ，Ｂの３本の出力端子との間で各色ごとの２本のおいて切換接続を行うことになる。
このときには、有機ＥＬパネル３の内部は、Ｒ，Ｇ，Ｂの３本のカラムラインとこれに隣接するＲ，Ｇ，Ｂの３本のカラムラインの６本のカラムラインの間でＲ，Ｇ，Ｂに対応して３本つづの同時切換になる。切換えられる端子およびカラムラインは、それぞれＲ，Ｇ，Ｂのうちのいずれか２つの端子あるいはいずれか２本のラインを挟んで切換られることになる。
この切換回路は、例えば、図５に示す切換回路ＵＳiをＲに対応させるとすると、図５の入力端子ＡとＢ、そして出力端子ＣとＤとの間にＧ，Ｂに対応する各カラムラインＸiが２本入り、後ろにＧ，Ｂに対応する各カラムラインＸi+1が２本入ることになる。そこで、それに応じてＧ，Ｂに対応する各カラムラインの切換えのための入力端子Ａと出力端子Ｃが図５の入力端子ＡとＢの間に２つ入ることになり、入力端子ＣとＤの後にＧ，Ｂに対応する各カラムラインの切換えのための入力端子Ｃと出力端子Ｄが２つ入ることになる。【００１７】
さて、実施例は、１水平ラインにおける表示データＤＡＴＡを１画素単位で各ドライバＩＣに分配しているが、これはｋ画素単位（ｋは１か、それ以上の整数）で表示データＤＡＴＡを分配してもよい。この場合には、切換回路は、ｋ画素単位での切換えとなるので、２個のドライバＩＣのそれぞれのｎ個の出力端子がｋ個ごとに交互になるように有機ＥＬパネルの２ｎ個の端子ピンに対して接続される。この場合、ｎ＝ｐ・ｋ（ｐは１か、それ以上の整数）である。この場合、ドライバＩＣをｋ個の設けてもよい。１水平ラインの画素数２ｎは、２ｎ＝ｑ・ｋ（ｑは１か、それ以上の整数）となる。
図１の実施例では、有機ＥＬパネル３に対してカラム側のドライバＩＣを上下に１個づつ設けてているが、上下にそれぞれに２個づつあるいはこれ以上設けてもよいことはもちろんである。それに応じてｎ画素対応に表示データが各ドライバに分配され、この分配に応じた切換えが行われる。
図４の実施例では、上側に前後に（あるいは重ねて）２個のドライバＩＣを設けているが、上側に前後に（あるいは重ねて）３個か、それ以上設けて、連続して隣接する３本か、それ以上のカラムラインについて同時あるいは順次接続を切換えるようにしてもよい。
また、実施例では、１フレームごとに隣接するカラムラインの選択切換えを行っているが、これは、ｍ水平走査ライン（ｍは１か、それ以上の整数）ごとあるいはｍフレームごとに行ってもよいことはもちろんである。
【産業上の利用可能性】
【００１８】
以上説明してきたが、この発明は、複数のカラムドライバの駆動電流により発生するＯＥＬ素子の発光輝度が時間積分で平均化しているので、パッシブマトリックス型の有機ＥＬパネルに限定されることなく、駆動電流でピクセル回路のコンデンサを充電するアクティブマトリックス型の有機ＥＬパネルについても適用できることはもちろんである。なお、この場合、陽極側駆動ラインはデータ線になる。
さらに、出力段電流源は、電流吐き出し型のものに限定されるものではなく、電流シンク型のものであってもよいことももちろんである。
【図面の簡単な説明】
【００１９】
【図１】図１は、この発明の有機ＥＬ表示装置を適用した一実施例のブロック図である。
【図２】図２は、そのカラムラインの切換状態の説明図である。
【図３】図３は、ドライバ切換におけるタイミング信号の説明図である。
【図４】図４は、この発明の有機ＥＬ表示装置を適用した他の一実施例の説明図である。
【図５】図５は、そのカラムライン切換回路の説明図である。
【符号の説明】
【００２０】
１，２…カラムドライバＩＣ（以下カラムドライバ）
３…有機ＥＬパネル、３ａ…有機ＥＬ素子（ＯＥＬ素子）、
４…ローＩＣドライバ、５…タイミングコントローラ、
６…画面メモリ、７…ＭＰＵ、８…インバータ、
９…絶縁膜、９ａ…配線ライン、
１０…有機ＥＬ表示装置、１１…双方向シフトレジスタ、
１２…表示データラッチ回路、
１３，１３ａ〜１３ｎ…可変電流源、
１４ａ〜１４ｄアナログスイッチ（トランスミッションゲート）、
ＵＳi，ＤＳi…切換回路、
ＵＸ1，ＵＸi，ＵＸn…上側カラムピン、
ＤＸ1，ＤＸi，ＤＸn上側カラムピン、
Ｘi，Ｘi+1…カラムライン、
Ｐn，Ｐi，Ｐn…出力端子。
【図１】
2005101359.tif 000002
【図２】
2005101359.tif 000003
【図３】
2005101359.tif 000004
【図４】
2005101359.tif 000005
【図５】
2005101359.tif 000006
【国際調査報告】
2005101359.tif 000007
2005101359.tif 000008
2005101359.tif 000009
2005101359.tif 000010